(57)【要約】      （修正有）【課題】コネクタのうちの部品が損壊した場合には、損壊した部品だけを交換することが必要であるコネクタを提供する。【解決手段】印刷回路板に垂直に設けられ、ドッキングモジュールを挿入可能であり、絶縁ベースと、二つの挟み子２２と、第１ベース２３と、第２ベース２４とを含み、絶縁ベースは、ベース本体２１１と、ベース本体に設けられる挿入ポートと、それぞれベース本体に設けられる二つの係合構造とを含み、二つの挟み子は、絶縁ベースの両端にそれぞれ設けられ、ドッキングモジュールの両側を挟むためのものであり、第１ベースは、第１ベース本体２３１と、複数の第１導電端子２３２と、第１係合構造２３３と、係合構造に対応する第１組合構造２３４とを含み、第２ベースは、第２ベース本体２４１と、複数の第２導電端子２４２と、第１係合構造に対応する第２係合構造と、第１組合構造と係合構造とに対応する第２組合構造２４４とを含む。【選択図】図２Ａ
0003162793.tif 000002
【実用新案登録請求の範囲】
【請求項１】
印刷回路板に垂直に設けられ、ドッキングモジュールを挿入可能であり、絶縁ベースと、二つの挟み子と、第１ベースと、第２ベースと、を含み、
前記絶縁ベースは、
ベース本体と、
前記ベース本体に設けられる挿入ポートと、
それぞれ前記ベース本体に設けられる二つの係合構造と、
を含み、
二つの前記挟み子は、前記絶縁ベースの両端にそれぞれ設けられ、前記ドッキングモジュールの両側を挟むためのものであり、
前記第１ベースは、
第１ベース本体と、
前記第１ベース本体に埋め込まれる複数の第１導電端子と、
前記第１ベース本体の一端に設けられる第１係合構造と、
前記第１ベース本体の一端から延び出し、前記係合構造に対応する第１組合構造と、
を含み、
前記第２ベースは、
第２ベース本体と、
前記第２ベース本体に埋め込まれる複数の第２導電端子と、
前記第２ベース本体の一端に設けられ、前記第１係合構造に対応する第２係合構造と、  前記第２ベース本体の一端から延び出し、前記第１組合構造と前記係合構造とに対応する第２組合構造と、
を含み、
前記絶縁ベースと前記第１ベースと前記第２ベースを組合うときには、前記第１係合構造が前記第２係合構造に係合され、これらの前記係合構造は、それぞれ前記第１組合構造と前記第２組合構造とを挟むことを特徴とするコネクタ。
【請求項２】
前記第１係合構造の一端は突起を含み、前記第２係合構造の一端は係り穴を含み、前記第２係合構造の前記係り穴に前記第１係合構造の前記突起を係合することにより、前記第１係合構造が前記第２係合構造に係合されることを特徴とする、請求項１に記載のコネクタ。
【請求項３】
前記第１ベースの他端は、更に、第３係合構造を含み、前記第２ベースの他端は、更に、第４係合構造を含み、前記第３係合構造は係り穴を含み、前記第４係合構造は突起を含み、前記第３係合構造の前記係り穴に前記第４係合構造の前記突起を係合することにより、前記第３係合構造が前記第４係合構造に係合されることを特徴とする、請求項２に記載のコネクタ。
【請求項４】
二つの前記挟み子は、それぞれ前記ベース本体の両端に挿入されることを特徴とする、請求項１に記載のコネクタ。
【請求項５】
二つの前記挟み子は、前記第１ベースと、前記第２ベースと、の両端にそれぞれ枢着されることを特徴とする、請求項１に記載のコネクタ。
【請求項６】
二つの前記挟み子は、それぞれ前記絶縁ベースに枢着されることを特徴とする、請求項１に記載のコネクタ。
【考案の詳細な説明】
【技術分野】
【０００１】
本考案は、コネクタに関し、特に、組合せ式のコネクタに関するものである。
【背景技術】
【０００２】
図１を参照する。図１は従来のコネクタの斜視図である。コネクタ１は、絶縁ベース１１と、複数の信号端子１２と、を含む。絶縁ベース１１は、挿入ポート１１１と、複数の端子収容溝１１２と、を有し、挿入ポート１１１が端子収容溝１１２と連通し、絶縁ベース１１は耐高温樹脂素材で作製されたものである。これらの信号端子１２は、これらの端子収容溝１１２にそれぞれ挿入される。
【０００３】
しかし、これらの端子収容溝１１２に、これらの信号端子１２をそれぞれ挿入するときには、信号端子１２を一つ一つ整列して端子収容溝１１２にそれぞれ挿入することが必要であり、何れか一つの信号端子１２の挿入が不適正であると、コネクタ１全体を廃棄することが必要である。そうすると、製品の不良率が増加し、生産コストが増加する。
【０００４】
一方、これらの端子収容溝１１２に、これらの信号端子１２をそれぞれ挿入した後、端子収容溝１１２が開放式であるため、コネクタ１の互いの係りにより、端子収容溝１１２に収容される信号端子１２が引出されることがよくあり、信号端子１２が引出されると、コネクタ１の損壊になり、更に、環境の原因により信号端子１２の酸化が加速され、そうすると、信号伝送の品質が降下する。
【０００５】
また、コネクタ１が高温環境（例えばコンピュータの内部）に長時間に置かれるため、絶縁ベース１１の一部の側面が損壊し易く、絶縁ベース１１が一体成形されたものであるため、コネクタ１全体を交換することが必要であり、そうすると、使用コストが増加する。
【考案の概要】
【考案が解決しようとする課題】
【０００６】
本考案の主な目的は、第１ベースに第２ベースを係合した後、これらを絶縁ベースと互いに挟むことにより、コネクタのうちの部品が損壊した場合には、損壊した部品だけを交換することが必要であり、使用コストを減少することができるコネクタを提供することにある。
【０００７】
本考案の次の目的は、第１ベースに複数の第１導電端子を埋め込み、第２ベースに複数の第２導電端子を埋め込むことにより、これらの第１導電端子とこれらの第２導電端子とは、きちんと片付かれるため、引出されることが困難になり、酸化し難いコネクタを提供することにある。
【０００８】
本考案の別の目的は、第１導電端子と第２導電端子とは、条状の金属を湾折して形成されるため、歩留率を大幅に増加することができるコネクタを提供することにある。
【課題を解決するための手段】
【０００９】
本考案のコネクタによると、印刷回路板に垂直に設けられ、ドッキングモジュールを挿入可能であり、絶縁ベースと、二つの挟み子と、第１ベースと、第２ベースと、を含み、前記絶縁ベースは、ベース本体と、前記ベース本体に設けられる挿入ポートと、それぞれ前記ベース本体に設けられる二つの係合構造と、を含み、二つの前記挟み子は、前記絶縁ベースの両端にそれぞれ設けられ、前記ドッキングモジュールの両側を挟むためのものであり、前記第１ベースは、第１ベース本体と、前記第１ベース本体に埋め込まれる複数の第１導電端子と、前記第１ベース本体の一端に設けられる第１係合構造と、前記第１ベース本体の一端から延び出し、前記係合構造に対応する第１組合構造と、を含み、前記第２ベースは、第２ベース本体と、前記第２ベース本体に埋め込まれる複数の第２導電端子と、前記第２ベース本体の一端に設けられ、前記第１係合構造に対応する第２係合構造と、前記第２ベース本体の一端から延び出し、前記第１組合構造と前記係合構造とに対応する第２組合構造と、を含み、前記絶縁ベースと前記第１ベースと前記第２ベースを組合うときには、前記第１係合構造が前記第２係合構造に係合され、これらの前記係合構造は、それぞれ前記第１組合構造と前記第２組合構造とを挟むことを特徴とする。
【００１０】
本考案のコネクタによると、前記第１係合構造の一端は突起を含み、前記第２係合構造の一端は係り穴を含み、前記第２係合構造の前記係り穴に前記第１係合構造の前記突起を係合することにより、前記第１係合構造が前記第２係合構造に係合されることを特徴とする。
【００１１】
本考案のコネクタによると、前記第１ベースの他端は、更に、第３係合構造を含み、前記第２ベースの他端は、更に、第４係合構造を含み、前記第３係合構造は係り穴を含み、前記第４係合構造は突起を含み、前記第３係合構造の前記係り穴に前記第４係合構造の前記突起を係合することにより、前記第３係合構造が前記第４係合構造に係合されることを特徴とする。
【００１２】
本考案のコネクタによると、二つの前記挟み子は、それぞれ前記ベース本体の両端に挿入されることを特徴とする。
【００１３】
本考案のコネクタによると、二つの前記挟み子は、前記第１ベースと、前記第２ベースと、の両端にそれぞれ枢着されることを特徴とする。
【００１４】
本考案のコネクタによると、二つの前記挟み子は、それぞれ前記絶縁ベースに枢着されることを特徴とする。
【考案の効果】
【００１５】
本考案のコネクタによれば、次のような効果がある。
（１）第１ベースに第２ベースを係合した後、これらを絶縁ベースと互いに挟むことにより、コネクタのうちの部品が損壊した場合には、損壊した部品だけを交換することが必要であり、使用コストを減少することができる。
【００１６】
（２）第１ベースに複数の第１導電端子を埋め込み、第２ベースに複数の第２導電端子を埋め込むことにより、これらの第１導電端子とこれらの第２導電端子とは、きちんと片付かれるため、引出されることが困難になり、酸化し難い。
【００１７】
（３）第１導電端子と第２導電端子とは、条状の金属を湾折して形成されるため、歩留率を大幅に増加することができる。
【図面の簡単な説明】
【００１８】
【図１】従来のコネクタの斜視図である。
【図２Ａ】本考案の第１実施例のコネクタの分解斜視図である。
【図２Ｂ】本考案の第１実施例のコネクタの分解斜視図である。
【図３Ａ】本考案の第１導電端子の表示図である。
【図３Ｂ】本考案の第２導電端子の表示図である。
【図４Ａ】本考案の第２実施例のコネクタの分解斜視図である。
【図４Ｂ】本考案の第２実施例のコネクタの分解斜視図である。
【考案を実施するための形態】
【００１９】
以下、本考案の実施の形態を図面に基づいて説明する。
（第１実施例）
まず、図２Ａ及び図２Ｂを参照する。図２Ａ及び図２Ｂは本考案の第１実施例のコネクタの分解斜視図である。本実施例のコネクタ２は、印刷回路板（図示せず）に垂直に設けられ、ドッキングモジュール（図示せず）を挿入可能であり、絶縁ベース２１と、二つの挟み子２２と、第１ベース２３と、第２ベース２４と、を含む。
【００２０】
絶縁ベース２１は、ベース本体２１１と、挿入ポート２１２と、複数の係合構造２１３と、を含む。絶縁ベース２１は樹脂材料で作製されたものでもよい。挿入ポート２１２は、ベース本体２１１の一側に設けられ、前記ドッキングモジュールを挿入可能である。一方、ベース本体２１１の挿入ポート２１２が設けられた側の反対側には、更に、二つの端子連接ポート２１１１が設けられ、端子連接ポート２１１１に複数の貫通孔２１１２が設けられ、貫通孔２１１２により端子連接ポート２１１１と挿入ポート２１２が連通するようになる。
【００２１】
係合構造２１３はベース本体２１１の両端に設けられる。係合構造２１３は、係止ブロック２１３１と、係止溝２１３２と、を有し、係止ブロック２１３１がベース本体２１１から延び出し、係止ブロック２１３１とベース本体２１１の間に係止溝２１３２が形成される。
【００２２】
挟み子２２は、絶縁ベース２１の両端にそれぞれ設けられ、前記ドッキングモジュールの両側を挟むためのものである。挟み子２２は、接触部２２１と、挟み部２２２と、を有する。接触部２２１により、前記ドッキングモジュールを挟み部２２２に斜めに摺動して挿入ポート２１２に挿入することができる。挟み子２２は樹脂材料で作製されたものでもよい。
【００２３】
第１ベース２３は、第１ベース本体２３１と、複数の第１導電端子２３２と、第１係合構造２３３と、第３係合構造２３３ａと、第１組合構造２３４と、を含む。第１ベース２３は耐高温樹脂材料で作製されたものでもよい。第１ベース本体２３１は、第１組合側２３１１と、第１取付側２３１２と、を有する。
【００２４】
図３Ａ、図２Ａ及び図２Ｂを参照する。各第１導電端子２３２は、埋め込み部２３２１と、接触部２３２２と、取付部２３２３と、を含む。埋め込み部２３２１は第１ベース本体２３１に埋め込まれる。接触部２３２２は、埋め込み部２３２１の一端から第１組合側２３１１に延びて、端子連接ポート２１１１に挿入して貫通孔２１１２を挿通して挿入ポート２１２に挿入し、そうすると、前記ドッキングモジュールと接触することができる。取付部２３２３は、埋め込み部２３２１の他端から第１取付側２３１２に延び、これにより、印刷回路板に固定することができる。図３Ａに示すように、第１導電端子２３２は、条状を呈する屈折構造であり、金属板を切断することにより形成することができるため、歩留率を大幅に増加することができる。
【００２５】
第１係合構造２３３は第１ベース本体２３１の一端に設けられ、第３係合構造２３３ａは第１ベース本体２３１の他端に設けられる。第１係合構造２３３は、第１ベース本体２３１の一端から延び出し、突起を呈してもよい。第３係合構造２３３ａは第１ベース本体２３１の他端に設けられ、係り穴を呈してもよい。
【００２６】
第１組合構造２３４は、第１ベース本体２３１の一端から延び出し、係止構造２１３に対応し、これにより、係止ブロック２１３１により第１組合構造２３４が係止溝２１３２に挟まれる。第１組合構造２３４は突起でもよい。
【００２７】
第２ベース２４は、第２ベース本体２４１と、複数の第２導電端子２４２と、第２係合構造２４３と、第４係合構造２４３ａと、第２組合構造２４４と、を含む。第２ベース２４は耐高温樹脂材料で作製されたものでもよい。第２ベース本体２４１は、第２組合側２４１１と、第２取付側２４１２と、を有する。
【００２８】
図３Ｂ、図２Ａ及び図２Ｂを参照する。各第２導電端子２４２は、埋め込み部２４２１と、接触部２４２２と、取付部２４２３と、を含む。埋め込み部２４２１は第２ベース本体２４１に埋め込まれる。接触部２４２２は、埋め込み部２４２１の一端から第２組合側２４１１に延びて、端子連接ポート２１１１に挿入して貫通孔２１１２を挿通し、そうすると、前記ドッキングモジュールと接触することができる。取付部２４２３は、埋め込み部２４２１の他端から第２取付側２４１２に延び、これにより、印刷回路板に固定することができる。図３Ｂに示すように、第２導電端子２４２は、条状を呈する屈折構造であり、プレス加工によって金属板を湾折することにより形成することができるため、歩留率を大幅に増加することができる。
【００２９】
第２係合構造２４３は第２ベース本体２４１の一端に設けられ、第４係合構造２４３ａは第２ベース本体２４１の他端に設けられる。第２係合構造２４３は、第２ベース本体２４１の一端に設けられ、係り穴を呈してもよい。第４係合構造２４３ａは第２ベース本体２４１の他端から延び出し、突起を呈してもよい。第１係合構造２３３と第２係合構造２４３を互いに係合し、第３係合構造２３３ａと第４係合構造２４３ａを互いに係合することにより、第２ベース２４に第１ベース２３を係合することができる。
【００３０】
第２組合構造２４４は、第２ベース本体２４１の一端から延び出し、第１組合構造２３４と係止構造２１３とに対応する。これにより、第２ベース２４に第１ベース２３を係合するときには、第１組合構造２３４が第２組合構造２４４に合せ、係止ブロック２１３１により第２組合構造２４４が係止溝２１３２に挟まれる。第２組合構造２４４は突起でもよい。
【００３１】
図２Ａを参照する。本考案のコネクタを組合いたいときには、組合方向Ｄ１に沿って第２ベース２４に第１ベース２３を組合い、これにより、第１係合構造２３３が第２係合構造２４３に係合され、第３係合構造２３３ａが第４係合構造２４３ａに係合され、ひいては第２ベース２４に第１ベース２３を係合することができる。また、第２ベース２４に第１ベース２３を係合した後、連接方向Ｄ２に沿って絶縁ベース２１に上記両者の組合体を組合うと、係止ブロック２１３１により第１組合構造２３４と第２組合構造２４４とが係止溝２１３２に挟まれる。
【００３２】
（第２実施例）
図４Ａ及び図４Ｂを参照する。図４Ａ及び図４Ｂは本考案の第２実施例のコネクタの分解斜視図である。本実施例のコネクタ２´は、印刷回路板（図示せず）に垂直に設けられ、ドッキングモジュール（図示せず）を挿入可能であり、絶縁ベース２１´と、二つの挟み子２２´と、第１ベース２３´と、第２ベース２４´と、を含む。本実施例の第１実施例と同様な箇所についての説明は省略した。
【００３３】
本実施例の第１実施例と相違する点は、絶縁ベース２１´は、更に、二つの規制部２１４´を含み、規制部２１４´がベース本体２１１の両端に設けられる。規制部２１４´により挟み子２２´の位置が規制され、そうすると、挟み子２２´の揺れによる脱落を防止することができる。規制部２１４´には、規制溝２１４１´と、挿入レール２１４２´と、が設けられる。挿入レール２１４２´は、挿入ポート２１２´にドッキングモジュールを順調に挿入するためのものである。
【００３４】
挟み子２２´は、規制溝２１４１´を挿通して、第１ベース２３と、第２ベース２４と、の両端に枢着され、前記ドッキングモジュールの両側を挟む。挟み子２２´は、枢着ブロック２２１´と、押圧部２２２´と、挟み部２２３´と、を有する。挟み子２２´は、枢着ブロック２２１により、第１ベース２３と、第２ベース２４と、に枢着される。押圧部２２２´に力を加えることにより、押圧部２２２´が外側に傾斜するようになり、そうすると、挿入ポート２１２´に前記ドッキングモジュールを挿入することができ、次に、挟み部２２３´により前記ドッキングモジュールの両側を挟むことができる。挟み子２２´は樹脂材料で作製されたものでもよい。
【００３５】
一方、本実施例の別の応用例の上記応用例と相違する点は、絶縁ベース２１´は、更に、複数の枢着穴（図示せず）を含み、これらの前記枢着穴が規制溝２１４１´に設けられ、枢着ブロック２２１´により、これらの前記枢着穴に挟み子２２´を枢着することができる。
【００３６】
従来のコネクタによれば、何れか一つの信号端子の挿入が不適正であると、コネクタ全体を廃棄することが必要であり、そうすると、製品の不良率が増加し、生産コストが増加する。そして絶縁本体が一体成形されたものであるため、絶縁本体が損壊した場合には、コネクタ全体を交換することが必要であり、そうすると、使用コストが増加する。
【００３７】
本考案のコネクタによれば、第１ベースに複数の第１導電端子を埋め込み、第２ベースに複数の第２導電端子を埋め込むことにより、これらの第１導電端子とこれらの第２導電端子とは、きちんと片付かれるため、引出されることが困難になり、酸化し難くなるため、製品の寿命が増加する。且つ第１導電端子と第２導電端子とは、条状の金属を湾折して形成されるため、歩留率を大幅に増加することができる。そして第１ベースに第２ベースを係合した後、これらを絶縁ベースと互いに挟むことにより、コネクタのうちの部品が損壊した場合には、損壊した部品だけを交換することが必要であり、使用コストを減少することができる。
【００３８】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３９】
本考案は、コネクタに適用することができる。
【符号の説明】
【００４０】
１：コネクタ、２,２´：コネクタ、１１：絶縁ベース、１２：信号端子、２１,２１´：絶縁ベース、２２,２２´：挟み子、２３：第１ベース、２４：第２ベース、１１１：挿入ポート、１１２：端子収容溝、２１１，２１１´：ベース本体、２１２，２１２´：挿入ポート、２１３,２１３´：係止構造、２１４´：規制部、２２１：接触部、２２１´：枢着ブロック、２２２，２２３´：挟み部、２２２´：押圧部、２３１：第１ベース本体、２３２：第１導電端子、２３３：第１係合構造、２３３ａ：第３係合構造、２３４：第１組合構造、２４１：第２ベース本体、２４２：第２導電端子、２４３：第２係合構造、２４３ａ：第４係合構造、２４４：第２組合構造、２１１１，２１１１´：端子連接ポート、２１１２，２１１２´：貫通孔、２１３１：係止ブロック、２１３２：係止溝、２１４１´：規制溝、２１４２´：挿入レール、２３１１：第１組合側、２３１２：第１取付側、２３２１：埋め込み部、２３２２：接触部、２３２３：取付部、２４１１：第２組合側、２４１２：第２取付側、２４２１：埋め込み部、２４２２：接触部、２４２３：取付部、Ｄ１：組合方向、Ｄ２：連接方向
【図１】
0003162793.tif 000003
【図２Ａ】
0003162793.tif 000004
【図２Ｂ】
0003162793.tif 000005
【図３Ａ】
0003162793.tif 000006
【図３Ｂ】
0003162793.tif 000007
【図４Ａ】
0003162793.tif 000008
【図４Ｂ】
0003162793.tif 000009